(57)【要約】【課題】位相補償に関わる構成を共通化してゲートウェイ装置又は基地局毎に実装可能とし、各装置の位相補償に関わる処理負担を軽減すること。【解決手段】ノイズ保護ステートマシン３３は、遅延測定部３２から遅延測定信号の送信が開始されるタイミングで動作を開始し、まず、「初期状態」を設定したステートマシン状態信号を遅延測定部３２に出力して、上記検出期間の設定を無効とし、遅延測定信号のクロック周期（１ｋＨｚ）で、「後方保護：同期確保が可能な状態を示す」を設定したステートマシン状態信号を遅延測定部３２に出力するとともに、遅延測定信号受信ウィンドウオープン信号をウィンドウ制御部３４に出力して、ウィンドウ制御部３４により上記検出期間を設定させる。【選択図】      図３
2005026937.tif 000002
【特許請求の範囲】
【請求項１】
所定の伝送路を介してクロック信号を受信する受信手段と、前記受信されたクロック信号の検出期間を設定する検出期間設定手段と、前記検出期間に受信されたクロック信号の伝送遅延時間を測定する測定手段と、前記測定された伝送遅延時間に基づいて前記クロック信号を補正する補正手段と、前記補正されたクロック信号を送信する送信手段とを具備することを特徴とする遅延補正装置。
【請求項２】
デイジーチェーン接続される複数のゲートウェイ装置と、該ゲートウェイ装置に接続され、移動端末と無線通信を行う複数の基地局と、を備える無線通信システムにおいて使用される遅延補正装置であって、上流のゲートウェイ装置からクロック信号を受信する受信手段と、前記受信されたクロック信号に基づいて生成した遅延測定信号を前記上流のゲートウェイ装置に送信する送信手段と、前記遅延測定信号の送信に応じて上流のゲートウェイ装置から返信される遅延測定信号の検出期間を設定する検出期間設定手段と、前記送信した遅延測定信号と、前記検出期間に検出した前記返信された遅延測定信号との位相差に基づいて、上流のゲートウェイ装置に対する自己の遅延時間を測定する遅延測定手段と、前記測定された遅延時間により前記クロック信号を補正する遅延補正手段と、前記補正されたクロック信号を前記基地局に送信する送信手段とを具備することを特徴とする遅延補正装置。
【請求項３】
前記検出期間設定手段は、前記上流のゲートウェイ装置から返信される遅延測定信号の受信状態を監視して、前記検出期間を有効又は無効にすることを特徴とする請求項２記載の遅延補正装置。
【請求項４】
前記検出期間設定手段は、前記検出期間を設定した後、所定回数連続して前記遅延測定信号を受信しない場合は、前記検出期間を無効にすることを特徴とする請求項３記載の遅延補正装置。
【請求項５】
所定の伝送路を介してクロック信号を受信する受信ステップと、前記受信されたクロック信号の検出期間を設定する検出期間設定ステップと、前記検出期間に受信されたクロック信号の伝送遅延時間を測定する測定ステップと、前記測定された伝送遅延時間に基づいて前記クロック信号を補正する補正ステップと、前記補正されたクロック信号を送信する送信ステップとを具備することを特徴とする遅延補正方法。
【請求項６】
デイジーチェーン接続される複数のゲートウェイ装置と、該ゲートウェイ装置に接続され、移動端末と無線通信を行う複数の基地局と、を備える無線通信システムにおいて使用される遅延補正装置の遅延補正方法であって、上流のゲートウェイ装置からクロック信号を受信する受信ステップと、前記受信されたクロック信号に基づいて生成した遅延測定信号を前記上流のゲートウェイ装置に送信する送信ステップと、前記遅延測定信号の送信に応じて上流のゲートウェイ装置から返信される遅延測定信号の検出期間を設定する検出期間設定ステップと、前記送信した遅延測定信号と、前記検出期間に検出した前記返信された遅延測定信号との位相差に基づいて、上流のゲートウェイ装置に対する自己の遅延時間を測定する遅延測定ステップと、前記測定された遅延時間により前記クロック信号を補正する遅延補正ステップと、前記補正されたクロック信号を前記基地局に送信する送信ステップとを具備することを特徴とする遅延補正装置の遅延補正方法。
【発明の詳細な説明】
【０００１】
【発明の属する技術分野】
本発明は、移動端末と無線通信を行う複数の基地局を管理するゲートウェイ装置の動作タイミングの遅延を測定する遅延補正装置及び遅延補正方法に関する。
【０００２】
【従来の技術】
従来のデジタルコードレス等の無線通信においては、複数の基地局を管理するゲートウェイ装置があり、このゲートウェイ装置はデジタルコードレスの親機（基地局）に接続されている。そして、デジタルコードレスの子機は、基地局、ゲートウェイ装置を介して、通話を実現することができる。
【０００３】
デジタルコードレスでは、基地局と基地局との間をまたいで移動しながら通話する場合がある。基地局が変わると、クロックの同期が取れなくなったり、位相差が生じたりして、通話を行うことができなくなる場合がある。そのため、基地局との間で同期が取れなくなったり、位相差が生じないようにするため、一つのクロック源により全ての基地局へ同じクロックを配信する方法、各基地局間の無線上で同期を取る方法が一般的である。
【０００４】
また、従来の移動通信システムにおいて同期を取るための技術は、例えば、特許文献１及び特許文献２に記載されている。
【０００５】
特許文献１は、システムトポロジーとしてバス型の移動通信システムにおいて位相同期を取るために、中央制御装置は、遅延測定信号を各送信局に送信し、各送信局からループバックされた遅延測定信号との時間差を測定することで、中央制御装置と各送信局間の遅延時間を測定して位相補償を行っている。
【０００６】
特許文献２は、システムトポロジーとしてスター型の移動通信システムにおいて位相同期を取るために、中央局は、遅延測定命令信号の回線伝送路への供給から折り返し信号の受信までの信号伝送時間を無線基地局の各各ごとに測定し、無線基地局の各各から送信する無線信号の送信タイミングが同期するように，遅延時間を測定された信号伝送時間に基づいて更新して位相補償を行っている。
【０００７】
【特許文献１】
特開平０９−５５６９８号公報
【特許文献２】
特許第２７６６２２６号公報
【０００８】
【発明が解決しようとする課題】
しかしながら、従来の特許文献１及び特許文献２に記載された位相補償を行う移動通信システムにおいては、遅延測定を中央制御装置又は中央局が集中管理する必要があるため、管理対象の基地局が増えるに従い、回路規模が増大し、処理負担が増加するという問題がある。
【０００９】
また、中央制御装置又は中央局と基地局で、位相補償に関わる構成を共通化することができず、位相補償に関わるコストが増大するという問題もある。
【００１０】
これら問題を解決するため、ゲートウェイ装置または基地局毎に位相補償を行うため、位相の遅延時間測定のための信号の送受信をゲートウェイ装置または基地局ごとに行うことが考えられるが、信号を受信する際、回線からのノイズが混入される場合があり、正しく遅延時間測定のための信号を検知することができず、遅延時間を正確に計測することができないという問題がある。
そこで、本発明は、これら問題点を解決するため、回線からのノイズがあっても正しく信号を受信し、検知することができる遅延補正装置及び遅延補正方法を提供することを目的とする。
【００１１】
【課題を解決するための手段】
本発明は、所定の伝送路を介してクロック信号を受信する受信手段と、前記受信されたクロック信号の検出期間を設定する検出期間設定手段と、前記検出期間に受信されたクロック信号の伝送遅延時間を測定する測定手段と、前記測定された伝送遅延時間に基づいて前記クロック信号を補正する補正手段と、前記補正されたクロック信号を送信する送信手段とを具備する遅延補正装置である。
【００１２】
【発明の実施の形態】
本発明の第１の態様は、所定の伝送路を介してクロック信号を受信する受信手段と、前記受信されたクロック信号の検出期間を設定する検出期間設定手段と、前記検出期間に受信されたクロック信号の伝送遅延時間を測定する測定手段と、前記測定された伝送遅延時間に基づいて前記クロック信号を補正する補正手段と、前記補正されたクロック信号を送信する送信手段とを具備する遅延補正装置である。
【００１３】
本発明によれば、クロック信号の伝送遅延時間を補正して正しいクロック信号を出力することができるとともに、ノイズ信号を遅延測定信号と誤って検出することを防止することができる。
【００１４】
本発明の第２の態様は、デイジーチェーン接続される複数のゲートウェイ装置と、該ゲートウェイ装置に接続され、移動端末と無線通信を行う複数の基地局と、を備える無線通信システムにおいて使用される遅延補正装置であって、上流のゲートウェイ装置からクロック信号を受信する受信手段と、前記受信されたクロック信号に基づいて生成した遅延測定信号を前記上流のゲートウェイ装置に送信する送信手段と、前記遅延測定信号の送信に応じて上流のゲートウェイ装置から返信される遅延測定信号の検出期間を設定する検出期間設定手段と、前記送信した遅延測定信号と、前記検出期間に検出した前記返信された遅延測定信号との位相差に基づいて、上流のゲートウェイ装置に対する自己の遅延時間を測定する遅延測定手段と、前記測定された遅延時間により前記クロック信号を補正する遅延補正手段と、前記補正されたクロック信号を前記基地局に送信する送信手段とを具備する遅延補正装置である。
【００１５】
本発明によれば、ノイズ信号を遅延測定信号と誤って検出することを防止することができ、ゲートウェイ装置又は基地局に伝送遅延を補償する遅延補正機能を実装して基地局で生じる位相差を補正することができ、基地局間をまたいだ通信を実現することができる。
【００１６】
本発明の第３の態様は、第２の態様の遅延補正装置において、前記検出期間設定手段は、前記上流のゲートウェイ装置から返信される遅延測定信号の受信状態を監視して、前記検出期間を有効又は無効にするようにした。
【００１７】
本発明によれば、遅延測定信号を確実に検出するように検出期間を設定することができる。
【００１８】
本発明の第４の態様は、第３の態様の遅延補正装置において、前記検出期間設定手段は、前記検出期間を設定した後、所定回数連続して前記遅延測定信号を受信しない場合は、前記検出期間を無効にするようにした。
【００１９】
本発明によれば、検出期間において遅延測定信号が検出できない場合に、改めて検出期間を再設定することができる。
【００２０】
本発明の第５の態様は、所定の伝送路を介してクロック信号を受信する受信ステップと、前記受信されたクロック信号の検出期間を設定する検出期間設定ステップと、前記検出期間に受信されたクロック信号の伝送遅延時間を測定する測定ステップと、前記測定された伝送遅延時間に基づいて前記クロック信号を補正する補正ステップと、前記補正されたクロック信号を送信する送信ステップとを具備する遅延補正方法である。
【００２１】
本発明によれば、クロック信号の伝送遅延時間を補正して正しいクロック信号を出力することができるとともに、ノイズ信号を遅延測定信号と誤って検出することを防止することができる。
【００２２】
本発明の第６の態様は、デイジーチェーン接続される複数のゲートウェイ装置と、該ゲートウェイ装置に接続され、移動端末と無線通信を行う複数の基地局と、を備える無線通信システムにおいて使用される遅延補正装置の遅延補正方法であって、上流のゲートウェイ装置からクロック信号を受信する受信ステップと、前記受信されたクロック信号に基づいて生成した遅延測定信号を前記上流のゲートウェイ装置に送信する送信ステップと、前記遅延測定信号の送信に応じて上流のゲートウェイ装置から返信される遅延測定信号の検出期間を設定する検出期間設定ステップと、前記送信した遅延測定信号と、前記検出期間に検出した前記返信された遅延測定信号との位相差に基づいて、上流のゲートウェイ装置に対する自己の遅延時間を測定する遅延測定ステップと、前記測定された遅延時間により前記クロック信号を補正する遅延補正ステップと、前記補正されたクロック信号を前記基地局に送信する送信ステップとを具備する遅延補正装置の遅延補正方法である。
【００２３】
本発明によれば、ノイズ信号を遅延測定信号と誤って検出することを防止することができ、ゲートウェイ装置又は基地局に伝送遅延を補償する遅延補正機能を実装して基地局で生じる位相差を補正することができ、基地局間をまたいだ通信を実現することができる。
【００２４】
以下、本発明の遅延補正装置及び遅延補正方法が適用された無線通信システムの実施の形態について図面を参照して具体的に説明する。
【００２５】
図１は、本発明の一実施の形態に係る無線通信システムの全体構成を示す図である。同図に示す無線通信システム１００は、ＬＡＮにより構成されたＶｏＩＰ網と、ＩＳＤＮ公衆網と、無線基地局ＢＳ１−１〜ＢＳ１−３，ＢＳ２−１〜ＢＳ２−３，ＢＳ３−１，ＢＳ３−２とを接続するゲートウェイ装置ＧＷ１〜ＧＷ３と、無線基地局ＢＳ１−１〜ＢＳ１−３，ＢＳ２−１〜ＢＳ２−３，ＢＳ３−１，ＢＳ３−２と、呼制御装置ＣＳとから構成される。
【００２６】
この無線通信システム１００は、無線基地局ＢＳ１−１〜ＢＳ１−３，ＢＳ２−１〜ＢＳ２−３，ＢＳ３−１，ＢＳ３−２間を移動する移動体であるデジタルコードレスの子機ＭＳ１，ＭＳ２の通話を可能にする。
【００２７】
呼制御装置ＣＳは、ＶｏＩＰ網を介してゲートウェイ装置ＧＷ１〜ＧＷ３に接続された無線基地局ＢＳ１−１〜ＢＳ１−３，ＢＳ２−１〜ＢＳ２−３，ＢＳ３−１，ＢＳ３−２間を移動するデジタルコードレスの子機ＭＳ１，ＭＳ２に電話サービスを提供する。
【００２８】
ゲートウェイ装置ＧＷ１〜ＧＷ３は、図２に示すように、図中の左が一番上流のゲートウェイ装置ＧＷ１であり、以下順に下流のゲートウェイ装置ＧＷ２，ＧＷ３が配置されており、各ゲートウェイ装置ＧＷ１〜ＧＷ３の内部構成は同一である。
【００２９】
また、ゲートウェイ装置ＧＷ１〜ＧＷ３の各装置間は、主信号を伝達する同期線Ｌ１と、遅延測定信号を伝達する測定信号線Ｌ２により接続されており、ゲートウェイ装置ＧＷ１〜ＧＷ３はデイジーチェーン接続されている。
【００３０】
各ゲートウェイ装置ＧＷ１〜ＧＷ３は、上流主信号入力部１１と、上流主信号入力バッファ１２と、ＰＬＬ部１３と、下流主信号出力バッファ１４と、下流主信号出力部１５と、遅延測定装置１６と、上流測定信号出力バッファ１７と、上流測定信号入出力部１８と、上流測定信号入力バッファ１９と、遅延加算部２０と、下流測定信号入力バッファ２１と、下流測定信号出力バッファ２２と、下流測定信号入出力部２３と、遅延補正部２４と、ＢＳインタフェース２５とを有している。
【００３１】
ＰＬＬ部１３は、内蔵する水晶発振器の発信信号に基づいて図中に示す主信号（８ｋＨｚのクロック信号／１．４４ｓのフレームタイミング信号）を生成し、その主信号を下流主信号出力バッファ１４から下流主信号出力部１５を介して下流のゲートウェイ装置に出力する。この場合、ゲートウェイ装置ＧＷ１は下流のゲートウェイ装置ＧＷ２に主信号を出力し、ゲートウェイ装置ＧＷ２は下流のゲートウェイ装置ＧＷ３に主信号を出力する。
【００３２】
また、ＰＬＬ部１３は、発信信号を遅延測定装置１６に出力し、主信号を遅延補正部２４に出力する。
【００３３】
遅延測定装置１６は、図３に示すように、遅延測定信号生成部３１と、遅延測定部３２と、ノイズ保護ステートマシン３３と、ウィンドウ制御部３４とを有している。
【００３４】
遅延測定信号生成部３１は、ＰＬＬ部１３から入力された発信信号を分周して遅延測定信号（１ｋＨｚクロック）を生成し、その遅延測定信号を上流測定信号出力バッファ１７から上流測定信号入出力部１８を介して、上流のゲートウェイ装置に出力するとともに、遅延測定部３２に出力する。この場合、ゲートウェイ装置ＧＷ２は上流のゲートウェイ装置ＧＷ１に遅延測定信号を出力し、ゲートウェイ装置ＧＷ３は上流のゲートウェイ装置ＧＷ２に遅延測定信号を出力する。
【００３５】
遅延測定部３２は、上流のゲートウェイ装置から返信されて受信した遅延測定信号（１ｋＨｚクロック）の立ち上がりエッジを検出するが、この立ち上がりエッジの検出期間は、ノイズ保護ステートマシン３３から入力されるステートマシン状態（初期状態、後方保護、同期状態）信号と、ウィンドウ制御部３４から入力される遅延測定信号受信ウィンドウ状態（ＯＰＥＮ／ＣＬＯＳＥ）信号とに基づいて設定される。
【００３６】
そして、遅延測定部３２は、設定された検出期間に上流のゲートウェイ装置から受信した遅延測定信号と、遅延測定信号生成部３１から入力された遅延測定信号との位相差から上流のゲートウェイ装置と自装置との遅延量を測定し、その遅延量を測定結果に設定してノイズ保護ステートマシン３３とウィンドウ制御部３４に出力する。
【００３７】
ノイズ保護ステートマシン３３は、遅延測定部３２から遅延測定信号の送信が開始されるタイミングで動作を開始し、まず、「初期状態」を設定したステートマシン状態信号を遅延測定部３２に出力して、上記検出期間の設定を無効とし、遅延測定信号のクロック周期（１ｋＨｚ）で、「後方保護：同期確保が可能な状態を示す」を設定したステートマシン状態信号を遅延測定部３２に出力するとともに、遅延測定信号受信ウィンドウオープン信号をウィンドウ制御部３４に出力して、ウィンドウ制御部３４により上記検出期間を設定させる。
【００３８】
続いて、ノイズ保護ステートマシン３３は、４周期連続して遅延測定信号を受信できた場合は、遅延測定部３２により検出期間に測定された遅延量が設定された測定結果を遅延情報として遅延加算部２０と遅延補正部２４に出力し、「同期状態」を設定したステートマシン状態信号を遅延測定部３２に出力する。
【００３９】
また、ノイズ保護ステートマシン３３は、１２８周期連続して遅延測定信号を受信できなかった場合は、「初期状態」を設定したステートマシン状態信号を遅延測定部３２に出力し、遅延測定信号受信ウィンドウクローズ信号をウィンドウ制御部３４に出力して、遅延測定信号を検出する前の初期状態に戻す。
【００４０】
ウィンドウ制御部３４は、遅延測定部３２から入力される測定結果と、ノイズ保護ステートマシン３３から入力される遅延測定信号受信ウィンドウオープン信号又は遅延測定信号受信ウィンドウクローズ信号とに基づいて、遅延測定信号の立ち上がりエッジを検出する検出期間を設定し、この検出期間を設定するため、受信ウィンドウのオープン又はクローズ状態を示す遅延測定信号受信ウィンドウ状態（ＯＰＥＮ／ＣＬＯＳＥ）を遅延測定部３２に出力する。
【００４１】
したがって、ノイズ保護ステートマシン３３及びウィンドウ制御部３４は、請求項に記載の検出期間設定手段の機能を実現している。
【００４２】
図２に戻り、遅延加算部２０は、下流のゲートウェイ装置から送信されて、下流測定信号入出力部２３及び下流測定信号入力バッファ２１を介して入力された遅延測定信号に、遅延測定装置１６から入力された遅延量を加算し、その加算後の遅延測定信号を下流測定信号出力バッファ２２及び下流測定信号入出力部２３を介して下流のゲートウェイ装置に返信する。
【００４３】
遅延補正部２４は、ＰＬＬ部１３から入力された主信号を、遅延測定装置１６から入力された遅延量に基づいて補正し、その補正した主信号をＢＳインタフェース２５に出力する。
【００４４】
ＢＳインタフェース２５は、無線基地局ＢＳ１−１〜ＢＳ１−３と接続され、無線基地局ＢＳ１−１〜ＢＳ１−３との間で電話サービスに関する制御情報や通話情報等を授受して、デジタルコードレスの子機ＭＳ１，ＭＳ２の通話動作を制御するとともに、遅延補正部２４から入力される補正後の主信号のタイミングに基づいて、無線基地局デジタルコードレスの子機ＭＳ１，ＭＳ２の通話動作タイミングを制御する。
【００４５】
次いで、上記構成を有する無線通信システム１００の動作について、図２、図３の各構成図、図４に示すフローチャート及び図５に示すタイミングチャートを用いて説明する。
【００４６】
図２において、デイジーチェーン接続の初段に接続されたゲートウェイ装置ＧＷ１は、予め規定された時間ｔだけ遅れた動作タイミングとして、例えば、２５０μｓを設定する。なお、この規定時間ｔは、デイジーチェーンで接続された両端のゲートウェイ装置ＧＷ１，ＧＷ３間での主信号伝送時の最大遅延量よりも大きい値を設定する。この規定時間ｔは、遅延補正部２４内に予め設定されているものとする。
【００４７】
また、デイジーチェーン接続された各ゲートウェイ装置ＧＷ２，ＧＷ３は、遅延補正部２４において、規定時間ｔから各々測定された動作遅延量を引いた値により主信号を補正して自己の動作タイミングとして設定するものとする。
【００４８】
ゲートウェイ装置ＧＷ１は、ＰＬＬ部１３から出力される発振信号により主信号を生成する。この主信号は、例えば、８ｋＨｚのクロックとフレームタイミングＳＦＰ（１．４４ｓ）とから構成される。
【００４９】
そして、ゲートウェイ装置ＧＷ１は、初段であるため、遅延測定信号は返信されず、遅延補正部２４は、予め設定された規定時間ｔ（２５０μｓ）により補正した主信号をＢＳインタフェース２５に出力する。この結果、ゲートウェイ装置ＧＷ１に接続された無線基地局ＢＳ１−１には、規定時間ｔ（２５０μｓ）分シフトされたフレームタイミングで動作タイミングが設定される。
【００５０】
次いで、ゲートウェイ装置ＧＷ２内の遅延測定装置１６における動作について、図４のフローチャート及び図５のタイミングチャートを用いて説明する。
【００５１】
図５のタイミングＴ１において、遅延測定装置１６内の遅延測定信号生成部３１により生成された遅延測定信号が上流のゲートウェイ装置ＧＷ１に送信された時、図４において、ノイズ保護ステートマシン３３が動作を開始し、ステップＳ４０１において、遅延測定信号受信ウィンドウクローズ信号をウィンドウ制御部３４に出力し、「初期状態」を設定したステートマシン状態を遅延測定部３２に出力する。
【００５２】
次いで、ステップＳ４０２において、ノイズ保護ステートマシン３３は、遅延測定信号のクロック周期（１ｋＨｚ）で、上流のゲートウェイ装置ＧＷ１から返信される遅延測定信号が遅延測定部３２で受信できたか否かを判別する。
【００５３】
ノイズ保護ステートマシン３３は、遅延測定信号が遅延測定部３２により受信できなかった場合（ステップＳ４０２：ＮＯ）、ステップＳ４０１に戻って、受信ウィンドウＣＬＯＳＥ  状態を継続する（図５のタイミングＴ１〜Ｔ２）。
【００５４】
この時、図５のタイミングＴ２では、遅延測定部３２は、ノイズ保護ステートマシン３３から入力されるステートマシン状態が初期状態であり、ウィンドウ制御部３４から入力される遅延測定信号受信ウィンドウ状態がＣＬＯＳＥ  であるため、上流のゲートウェイ装置から返信された遅延測定信号（１ｋＨｚクロック）の立ち上がりエッジの検出動作は行われない。
【００５５】
また、図５のタイミングＴ１〜Ｔ２間では、装置間遅延ｄ１があるが、受信ウィンドウＣＬＯＳＥ  状態であるため、ノイズ保護ステートマシン３３から遅延情報は出力されない。
【００５６】
そして、図５のタイミングＴ２から遅延測定信号の１クロック周期後のタイミングＴ３において、ノイズ保護ステートマシン３３は、遅延測定信号が遅延測定部３２により受信できた場合（ステップＳ４０２：ＹＥＳ）、図４のステップＳ４０３において、遅延測定信号受信ウィンドウオープン信号をウィンドウ制御部３４に出力し、「後方保護」を設定したステートマシン状態を遅延測定部３２に出力する。
【００５７】
この時、図５のタイミングＴ４に示すように、ウィンドウ制御部３４では、ノイズ保護ステートマシン３３から入力された遅延測定信号受信ウィンドウオープン信号に応じて、遅延測定信号のエッジを検出する期間「ｄ１±α」の間、検出ウィンドウが開かれる。
【００５８】
この検出ウィンドウが開かれている期間に、遅延測定部３２では、上流のゲートウェイ装置ＧＷ１から返信されて受信した遅延測定信号と、遅延測定信号生成部３１から入力された遅延測定信号との位相差に基づいて、上流のゲートウェイ装置ＧＷ１と自装置との間の遅延量が測定され、その遅延量が測定結果に設定されたノイズ保護ステートマシン３３に出力される。この時の遅延量は、図５のタイミングＴ３〜Ｔ４間で示す装置間遅延ｄ２であるとする。
【００５９】
ノイズ保護ステートマシン３３では、遅延測定部３２から入力された測定結果が保持される。
【００６０】
そして、図４のステップＳ４０４において、ノイズ保護ステートマシン３３は、遅延測定信号のクロック周期（１ｋＨｚ）で、上流のゲートウェイ装置ＧＷ１から返信される遅延測定信号が遅延測定部３２で受信できたか否かを判別する。
【００６１】
ノイズ保護ステートマシン３３は、遅延測定信号が遅延測定部３２により受信できなかった場合（ステップＳ４０４：ＮＯ）、ステップＳ４０１に戻って、受信ウィンドウＣＬＯＳＥ  状態として初期状態に戻る。
【００６２】
また、ノイズ保護ステートマシン３３は、遅延測定信号が遅延測定部３２により受信できた場合（ステップＳ４０４：ＹＥＳ）、更に、ステップＳ４０５において、遅延測定部３２が遅延測定信号のクロック４周期連続で遅延測定信号を受信できたか否かを判別する。
【００６３】
遅延測定部３２が遅延測定信号のクロック４周期連続で遅延測定信号を受信できなかった場合（ステップＳ４０５：ＮＯ）、ノイズ保護ステートマシン３３は、ステップＳ４０４に戻って、遅延測定信号の受信可否の判別処理を繰り返す。
【００６４】
また、遅延測定部３２が遅延測定信号のクロック４周期連続で遅延測定信号を受信できた場合（ステップＳ４０５：ＹＥＳ）、ノイズ保護ステートマシン３３は、遅延測定信号の検出タイミングの同期がとれたものと判断して、ステップＳ４０６において、先に保持した測定結果を遅延情報として遅延加算部２０と遅延補正部２４に出力する（図５のタイミングＴ５）。
【００６５】
次いで、ステップＳ４０７において、ノイズ保護ステートマシン３３は、遅延測定信号のクロック周期（１ｋＨｚ）で、上流のゲートウェイ装置ＧＷ１から返信される遅延測定信号が遅延測定部３２で受信できたか否かを判別する。
【００６６】
ノイズ保護ステートマシン３３は、遅延測定信号が遅延測定部３２により受信できた場合（ステップＳ４０７：ＹＥＳ）、ステップＳ４０６に戻り、遅延測定信号が遅延測定部３２により受信できなかった場合（ステップＳ４０７：ＮＯ）、更に、ステップＳ４０８において、その受信できなかったことが遅延測定信号のクロック１２８周期連続発生したか否かを判別する。
【００６７】
そして、ノイズ保護ステートマシン３３は、１２８周期連続で遅延測定信号を受信できなかった場合（ステップＳ４０８：ＹＥＳ）、ステップＳ４０１に戻って、受信ウィンドウＣＬＯＳＥ  状態として初期状態に戻る。
【００６８】
そして、ゲートウェイ装置ＧＷ２では、下流のゲートウェイ装置ＧＷ３から送信されて、下流測定信号入出力部２３及び下流測定信号入力バッファ２１を介して入力された遅延測定信号に、遅延測定装置１６から入力された遅延量を加算し、その加算後の遅延測定信号を下流測定信号出力バッファ２２及び下流測定信号入出力部２３を介して下流のゲートウェイ装置ＧＷ３に返信する。
【００６９】
このため、ゲートウェイ装置ＧＷ３では、自己の遅延量にゲートウェイ装置ＧＷ２の遅延量が加算された遅延量となる。
【００７０】
そして、ゲートウェイ装置ＧＷ３では、遅延補正部２４は、遅延測定装置１６から入力された遅延量を、予め設定された規定時間ｔ（２５０μｓ）から減算した主信号をＢＳインタフェース２５に出力する。この結果、ゲートウェイ装置ＧＷ３に接続された無線基地局ＢＳ３−１には、規定時間ｔ（２５０μｓ）から遅延量を減算した分シフトされたフレームタイミングで動作タイミングが設定される。
【００７１】
以上のように、各ゲートウェイ装置ＧＷ１，ＧＷ２，ＧＷ３において、初段から順に、規定時間ｔ、規定時間ｔから上流装置との遅延量を減算した動作タイミングを設定することにより、所定の時刻で各ゲートウェイ装置ＧＷ１，ＧＷ２，ＧＷ３に接続された各無線基地局ＢＳ１−１，ＢＳ２−１，ＢＳ３−１の動作タイミングの位相同期が取れることになる。
【００７２】
このように、本実施の形態の無線通信システムによれば、ゲートウェイ装置ＧＷ１，ＧＷ２，ＧＷ３を同期線Ｌ１と測定信号線Ｌ２によりデイジーチェーン接続し、初段のゲートウェイ装置ＧＷ１内で規定時間ｔに基づいて動作シフトタイミングを設定し，後段の各ゲートウェイ装置ＧＷ２，ＧＷ３内で上流のゲートウェイ装置との遅延量を測定し、その遅延量を下流のゲートウェイ装置に伝達し、規定時間ｔから自己の遅延量＋上流の遅延量を減算して、各無線基地局ＢＳの動作タイミングの位相同期を取るようにした。
【００７３】
このため、各ゲートウェイ装置ＧＷ２，ＧＷ３に接続された無線基地局ＢＳ１−１〜ＢＳ１−３，ＢＳ２−１〜ＢＳ２−３，ＢＳ３−１，ＢＳ３−２の各動作タイミングを同期させることができ、無線基地局ＢＳ１−１〜ＢＳ１−３，ＢＳ２−１〜ＢＳ２−３，ＢＳ３−１，ＢＳ３−２間を移動するデジタルコードレスの子機ＭＳ１，ＭＳ２の通話動作タイミングの同期を取ることができ、無線通信システムの信頼性を向上させることができる。
【００７４】
また、本実施の形態の無線通信システムによれば、ゲートウェイ装置ＧＷ１，ＧＷ２，ＧＷ３を同期線Ｌ１と測定信号線Ｌ２によりデイジーチェーン接続し、下流の各ゲートウェイ装置ＧＷ２，ＧＷ３で上流のゲートウェイ装置ＧＷ１，ＧＷ２から返信される遅延測定信号の立ち上がりエッジを検出する期間を、遅延測定装置内のノイズ保護ステートマシン及びウィンドウ制御部により遅延測定信号のクロック周期毎に一定期間設定するようにしたため、外来ノイズ信号を誤って遅延測定信号として検出しまうといった事態を回避することができる。
【００７５】
更に、ノイズ保護ステートマシンは、上流のゲートウェイ装置から返信される遅延測定信号の受信状態を監視して、検出期間を設定するウィンドウのオープン／クローズするようにしたため、遅延測定信号を確実に検出するように検出期間を設定することができる。
【００７６】
また、ノイズ保護ステートマシンは、ウィンドウをオープンした後、所定回数連続して前記遅延測定信号を受信しない場合は、ウィンドウをクローズして初期状態に戻すようにしたため、検出期間において遅延測定信号が検出できない場合に、改めて検出期間を再設定することができる。
【００７７】
なお、上記実施の形態に示した無線通信システムの構成は、あくまで一例であり、例えば、無線基地局がゲートウェイ装置の機能を内蔵する場合は、上記のような遅延測定機能を無線基地局に内蔵して無線基地局間を同期線と測定信号線でデイジーチェーン接続すれば、同様に動作タイミングの同期を制御することができる。
【００７８】
【発明の効果】
以上説明したように、本発明によれば、クロック信号の伝送遅延時間を補正して正しいクロック信号を出力することができるとともに、ノイズ信号を遅延測定信号と誤って検出することを防止することができる。
【図面の簡単な説明】
【図１】本発明の実施の形態に係る無線通信システムの全体構成を示す図
【図２】実施の形態に係るゲートウェイ装置の構成を示すブロック図
【図３】実施の形態に係る遅延測定部内の構成を示すブロック図
【図４】実施の形態に係るゲートウェイ装置内のノイズ保護ステートマシンの動作を説明するためのフローチャート
【図５】実施の形態に係るゲートウェイ装置内の遅延測定部の動作を説明するためのタイミングチャート
【符号の説明】
１１  上流主信号入力部
１２  上流主信号入力バッファ
１３  ＰＬＬ部
１４  下流主信号出力バッファ
１５  下流主信号出力部
１６  遅延測定装置
１７  上流測定信号出力バッファ
１８  上流測定信号入出力部
１９  上流測定信号入力バッファ
２０  遅延加算部
２１  下流測定信号入力バッファ
２２  下流測定信号出力バッファ
２３  下流測定信号入出力部
２４  遅延補正部
２５  ＢＳインタフェース
３１  遅延測定信号生成部
３２  遅延測定部
３３  ノイズ保護ステートマシン
３４  ウィンドウ制御部
１００  無線通信システム
ＣＳ  呼制御装置
ＧＷ１〜ＧＷ３  ゲートウェイ装置
ＢＳ１−１〜ＢＳ１−３  無線基地局
ＭＳ１，ＭＳ２  デジタルコードレスの子機
【図１】
2005026937.tif 000003
【図２】
2005026937.tif 000004
【図３】
2005026937.tif 000005
【図４】
2005026937.tif 000006
【図５】
2005026937.tif 000007